(57)【要約】【課題】簡単な構成で円滑な開閉動作が可能なバリア駆動装置を備え、小型、かつ、薄型化が可能なレンズ鏡筒を提供する。【解決手段】光路を開閉するためのバリア駆動装置を有するレンズ鏡筒１において、ベース枠２と、ベース枠２に対して回動可能なバリアリング３と、上記光路を開放する開位置と、上記光路を遮蔽する閉位置との間を移動可能であって、バリアリング３と共に回動（公転）可能、かつ、バリアリング３に対して回動（自転）可能なように軸支されたバリア羽根４Ａ，４Ｂと、上記バリア羽根を上記閉位置に向けて付勢する羽根付勢バネ７と、ベース枠２に設けられ、バリア羽根４Ａ，４Ｂと当接して上記バリア羽根を上記バリアリング３に対して回動させる押圧部２ｅとを具備している。【選択図】図１
2008185728.tif 000002
【特許請求の範囲】
【請求項１】
光路を開閉するためのバリア駆動装置を有するレンズ鏡筒において、
ベース部材と、
上記ベース部材に対して回動可能なバリア駆動部材と、
上記光路を開放する開位置と、上記光路を遮蔽する閉位置との間を移動可能であって、上記バリア駆動部材と共に回動可能であるとともに上記バリア駆動部材に対して回動可能なように軸支されたバリア羽根と、
上記バリア羽根を上記閉位置に向けて付勢する閉じ付勢部材と、
上記ベース部材に設けられ、上記バリア羽根と当接して上記バリア羽根を上記バリア駆動部材に対して回動させる押圧部と、
を具備することを特徴とするレンズ鏡筒。
【請求項２】
上記バリア駆動部材は、上記バリア羽根を上記開位置へと駆動するための開方向と上記バリア羽根を上記閉位置へと駆動するための閉方向とに回動可能であって、上記バリア羽根が閉じられた状態では、上記押圧部とバリア羽根とは離間しており、この閉じられた状態から上記バリア駆動部材を上記開方向へと駆動することで、上記押圧部と上記バリア羽根とが当接することを特徴とする請求項１に記載のレンズ鏡筒。
【請求項３】
光路を開閉するためのバリア駆動装置を有するレンズ鏡筒において、
ベース部材と、
上記ベース部材に対し回動可能なバリア駆動部材と、
光路を開放する開位置と、光路を遮蔽する閉位置との間で移動可能であって、上記バリア駆動部材と共に回動する公転動作が可能であるとともに上記バリア駆動部材に対して回動する自転動作とが可能なように軸支されたバリア羽根と、
上記バリア羽根を上記バリア駆動部材に対し回動する方向の付勢力を付与する付勢部材と、
上記ベース部材に設けられ、上記バリア駆動部材の一方向への回動に応じて上記バリア羽根が当接し、他方向への回動に応じて上記バリア羽根が離間する押圧部と、
を具備しており、上記バリア羽根は、上記押圧部と当接している状態で上記バリア駆動部材が回動した際は、上記公転動作と上記自転動作を行い、上記押圧部と離間している状態で上記バリア駆動部材が回動した際は、上記公転動作を行うことを特徴とするレンズ鏡筒。
【請求項４】
上記押圧部と上記バリア羽根が当接した状態で上記バリア駆動部材が上記一方向へ回動することにより、上記押圧部にて押圧されて上記バリア羽根が上記付勢部材の付勢力に抗して上記自転動作を行い、上記バリア駆動部材が上記他方向へ回動して上記押圧部と上記バリア羽根が離間することによって上記バリア羽根が上記付勢部材の付勢力により上記自転動作を行なうことを特徴とする請求項３に記載のレンズ鏡筒。
【請求項５】
上記バリア羽根は、上記バリア駆動部材の上記一方向への回動に応じて閉位置から開位置へと変位し、上記他方向への回動に応じて開位置から閉位置へと変位するものであり、上記付勢部材は、上記バリア羽根を上記閉位置に向かう方向に付勢することを特徴とする請求項４に記載のレンズ鏡筒。
【請求項６】
上記請求項１乃至５のいずれかのレンズ鏡筒を備える撮像装置。
【発明の詳細な説明】
【技術分野】
【０００１】
本発明は、光路を開閉するためのバリア駆動装置を有するレンズ鏡筒、および、該レンズ鏡筒を備えた撮像装置に関する。
【背景技術】
【０００２】
従来、レンズバリアを駆動し、光路を開閉するためのバリア駆動装置を備えたレンズ鏡筒に関して、特許文献１に開示されたバリア駆動装置は、レンズ鏡筒の先端部に円環形状のバリア開閉リングを配し、このバリア開閉リングを上記レンズ鏡筒の繰り出し及び繰り出し動作に連動させて回動させることによりバリア羽根を開閉駆動する。
【０００３】
また、特許文献２に開示されたバリア駆動装置は、レンズ鏡筒の光軸の周りに回動するバリア駆動リング上に、バリア羽根の回動軸心を配し、また、上記レンズ鏡筒の前面に固定される化粧板に長穴を設け、この長穴に上記バリア羽根の駆動ピンを係合させた構成を有している。このバリア駆動装置においては、上記バリア駆動リングの回動に伴い、上記バリア羽根が上記長穴との係合状態の変化によって開閉駆動される。
【特許文献１】特開平７−１５９８５５号公報
【特許文献２】特開平７−１９１３８０号公報
【発明の開示】
【発明が解決しようとする課題】
【０００４】
上記バリア駆動装置においては、上記バリア羽根はレンズ前面の開口（撮影光路開口）を遮蔽するのに十分な大きさが必要であり、かつ、上記開口の周囲にバリア羽根が退避するためのスペースが必要である。ところが、上記特許文献１に記載の技術では、簡単な構成で上記バリア羽根を開閉することがきるが、上記バリア羽根は１つの支持軸上のみで回転移動のため、その移動量および移動軌跡が限定され、上述したバリア羽根の大きさと退避スペースとを確保するためにはレンズ鏡筒の外形を大きくする必要がある。特に、上記開口が大きい場合には上記バリア羽根が大きくなるため、退避スペースも大きくなり、レンズ鏡筒の小型化が困難であった。
【０００５】
一方、上記特許文献２に記載の技術では、上述したように上記長穴と上記摺動ピンとの係合関係により上記バリア羽根を駆動する機構を採用することでより効率的な上記バリア羽根の収納を可能としている。しかしながら、上記バリア羽根を概略平行移動（直線運動）させる機構であるため、円滑な開閉駆動を行なわせる点で問題があった。
【０００６】
本発明は、上述の事情に鑑み、簡単な構成で小型であって円滑な開閉動作が可能なバリア駆動装置を備えたレンズ鏡筒、および、該レンズ鏡筒を備えた撮像装置を提供することを目的とする。
【課題を解決するための手段】
【０００７】
本発明の請求項１記載のレンズ鏡筒は、光路を開閉するためのバリア駆動装置を有するレンズ鏡筒において、ベース部材と、上記ベース部材に対して回動可能なバリア駆動部材と、上記光路を開放する開位置と、上記光路を遮蔽する閉位置との間を移動可能であって、上記バリア駆動部材と共に回動可能であるとともに上記バリア駆動部材に対して回動可能なように軸支されたバリア羽根と、上記バリア羽根を上記閉位置に向けて付勢する閉じ付勢部材と、上記ベース部材に設けられ、上記バリア羽根と当接して上記バリア羽根を上記バリア駆動部材に対して回動させる押圧部とを具備する。
【０００８】
本発明の請求項２記載のレンズ鏡筒は、請求項１に記載のレンズ鏡筒において、上記バリア駆動部材は、上記バリア羽根を上記開位置へと駆動するための開方向と上記バリア羽根を上記閉位置へと駆動するための閉方向とに回動可能であって、上記バリア羽根が閉じられた状態では、上記押圧部とバリア羽根とは離間しており、この閉じられた状態から上記バリア駆動部材を上記開方向へと駆動することで、上記押圧部と上記バリア羽根とが当接する。
【０００９】
本発明の請求項３記載のレンズ鏡筒は、光路を開閉するためのバリア駆動装置を有するレンズ鏡筒において、ベース部材と、上記ベース部材に対し回動可能なバリア駆動部材と、光路を開放する開位置と、光路を遮蔽する閉位置との間で移動可能であって、上記バリア駆動部材と共に回動する公転動作が可能であるとともに上記バリア駆動部材に対して回動する自転動作とが可能なように軸支されたバリア羽根と、上記バリア羽根を上記バリア駆動部材に対し回動する方向の付勢力を付与する付勢部材と、上記ベース部材に設けられ、上記バリア駆動部材の一方向への回動に応じて上記バリア羽根が当接し、他方向への回動に応じて上記バリア羽根が離間する押圧部とを具備しており、上記バリア羽根は、上記押圧部と当接している状態で上記バリア駆動部材が回動した際は、上記公転動作と上記自転動作を行い、上記押圧部と離間している状態で上記バリア駆動部材が回動した際は、上記公転動作を行う。
【００１０】
本発明の請求項４に記載のレンズ鏡筒は、請求項３に記載のレンズ鏡筒において、上記押圧部と上記バリア羽根が当接した状態で上記バリア駆動部材が上記一方向へ回動することにより、上記押圧部にて押圧されて上記バリア羽根が上記付勢部材の付勢力に抗して上記自転動作を行い、上記バリア駆動部材が上記他方向へ回動して上記押圧部と上記バリア羽根が離間することによって上記バリア羽根が上記付勢部材の付勢力により上記自転動作を行なう。
【００１１】
本発明の請求項５に記載のレンズ鏡筒は、請求項４に記載のレンズ鏡筒において、上記バリア羽根は、上記バリア駆動部材の上記一方向への回動に応じて閉位置から開位置へと変位し、上記他方向への回動に応じて開位置から閉位置へと変位するものであり、上記付勢部材は、上記バリア羽根を上記閉位置に向かう方向に付勢する。
【００１２】
本発明の請求項６に記載の撮像装置は、請求項１乃至５に記載のいずれかのレンズ鏡筒を備える撮像装置である。
【発明の効果】
【００１３】
本発明によれば、簡単な構成で小型であって円滑な開閉動作が可能なバリア駆動装置を備えたレンズ鏡筒、および、該レンズ鏡筒を備えた撮像装置を提供することができる。
【発明を実施するための最良の形態】
【００１４】
以下、図を用いて本発明の実施形態について説明する。
【００１５】
図１は、本発明の一実施形態のバリア駆動装置を備えたレンズ鏡筒の要部の分解斜視図である。図２は、図１のＡ方向（後方側）から見た上記レンズ鏡筒の要部の分解斜視図である。図３は、図１のレンズ鏡筒の要部の撮影光軸に沿った断面図である。なお、以下の説明において、撮影光軸の被写体側を前方とし、結像側を後方とする。また、部材の回転方向は、前方から見た回転方向で示す。
【００１６】
本実施形態のレンズ鏡筒１は、カメラ等の撮像装置に適用可能であり、非撮影状態において撮影レンズ８の前面部を保護するために撮影光路開口を開閉するバリア駆動装置を備えたレンズ鏡筒である。このレンズ鏡筒１は、図１，２に示すようにベース部材であるベース枠２と、バリア駆動部材であるバリアリング３と、バリアリング３を回動付勢するための引っ張りバネ６を有する。この引っ張りバネ６は、後述するバリア羽根４A、４Bを開位置へと駆動するための開き付勢部材であって、バリアリング６を回動付勢できるものであれば良く、引っ張りバネに限られるものではない。
【００１７】
レンズ鏡筒１はさらに、後述する撮影光路開口２ａを開閉するための一対のバリア羽根４Ａ，４Ｂと、バリア羽根４Ａ，４Ｂを閉じ位置方向に回動付勢するための閉じ付勢部材であって、トーションバネからなる一対の羽根付勢バネ７と、バリア蓋９と、バリア駆動枠５と、図示しない固定枠と、上記ベース枠２に支持され、図示しないレンズ保持部に直接、または、間接的に保持され、光軸Ｏを有する撮影レンズ８とを備えている。
【００１８】
なお、上記羽根付勢バネ７は、バリア羽根４A、４Bを閉じ位置方向に付勢できるものであればよく、トーションバネに限られるものではない。
【００１９】
上記固定枠は、カメラ等の本体に固着され、上記ベース枠２，バリア駆動枠５等を支持する部材である。
【００２０】
ベース枠２は、光軸Ｏに沿った筒状枠部材であって、レンズ鏡筒１の前方側に配され、上記固定枠に対してバリア駆動枠５により回転規制され、かつ、光軸O方向に沿って進退可能に支持されている。
【００２１】
ベース枠２には撮影レンズ８の前面に位置する長方形状の撮影光路開口２ａと、撮影光路開口２ａ外側の左右位置に２つの開口部２ｂと、ベース枠２の前側の内周面２ｉから開口部２ｂに向けて突出する一対の突起状の押圧部２ｅと、開口部２ｂの後面外側に配される４つの係止凸部２ｆ（図２）とバネ掛け部２ｈが設けられている。上記撮影光路開口２ａは、全体として矩形形状をしており、その長手方向である開口端部２ｋが互いに略平行に対向して配置されている。
【００２２】
バリアリング３は、光軸Ｏ中心のリング状の部材であり、その中央部にベース枠２の撮影光路開口２ａより大きく、該光路開口を遮らない円形のリング開口３ａを有している。さらに、外周に沿って配される４つの切り欠き３ｆと、リング開口３ａの外側の左右に対向して配されるバリア機構支持部３ｂと、バネ掛け部３ｅとが設けられる。
【００２３】
バリア機構支持部３ｂには、左右の各平面部からバリア羽根４A、Bに向けて突出して形成される一対の支持軸３ｃと、この支持軸３ｃの軸心を中心とした円弧状に形成される一対の長穴３ｄとが設けられる。さらに、右側のバリア機構支持部３ｂにはバリア駆動枠５に向けて突出する傾斜カム３ｇが設けられる。
【００２４】
バリアリング３は、ベース枠２の後方側から挿入し、ベース枠２の係止凸部２ｆに切り欠き３ｆを一旦挿入して所定角回動させて装着される。従って、バリアリング３は、所定の動作回動角だけ、ベース枠２に対して光軸Ｏ方向に一体的に進退可能なの状態で光軸Ｏまわりの双方向に回動可能に支持される。なお、バリアリング３の反時計回りは、バリア閉方向であり、時計回りは、バリア開方向である。
【００２５】
また、バリアリング３のバネ掛け部３ｅとベース枠２のバネ掛け部２ｈ間には引っ張りバネ６が懸架されており、バリアリング３には常に時計回りの付勢力が作用している。バリアリング３をベース枠２に取り付けた状態で、支持軸３ｃはベース枠２に形成された開口部２ｂに挿入され、先端部がバリア羽根４A、４B側に突出している。また、長孔３ｃは開口部２ｂに対向するように位置している。なお、バリアリング３の装着状態で上記所定回動範囲では支持軸３ｃは、ベース枠２の開口部２ｂに干渉せず、長穴３ｄも該開口部２ｂの範囲内にある。
【００２６】
バリア羽根４Ａ，４Ｂは、同一形状を有する一対の部材であり、撮影光路開口２ａの前面に公転（光軸Ｏまわりの回転）および自転（支持軸３ｃまわりの回転）し、ベース枠２の光路開口２ａを開閉することができる。このバリア羽根４Ａ，４Ｂは、それぞれ羽根内縁４ａを有し、端部に配される軸穴４ｃと、軸穴４ｃの側方に突出し、ベース枠２の押圧部２ｅと当接可能な突起４ｅと、バリアリング３に向けて突出するピン４ｄとが設けられている。
【００２７】
バリア羽根４Ａ，４Ｂは、それぞれベース枠２の前面側に挿入され、軸穴４ｃをバリアリング３の支持軸３ｃに回転可能に嵌入させ、かつ、バリア羽根４Ａ，４Ｂのピン４ｄをバリアリング３の長穴３ｄに摺動可能な挿入させた状態で装着される。
【００２８】
なお、バリアリング３の支持軸３ｃの根元部には、羽根付勢バネ７が挿入されている。該羽根付勢バネ７のバネ端部は、一方がバリアリング３の外周に、他方がバリア羽根４Ａ，４Ｂのピン４ｄの外側に懸架されている。従って、バリア羽根４Ａ，４Ｂは、それぞれバリアリング３に対して支持軸３ｃを中心にして光路開口閉方向である時計回りに付勢された状態で支持されている。
【００２９】
バリア蓋９は、撮影光路開口２ａに対応する開口９ａを有する板部材からなり、バリア羽根４Ａ，４Ｂを回動可能状態で挟み込み、ベース枠２の前面部に取り付けられる。そのバリア蓋９の取り付けは、ビス挿通孔９ｊを挿通させ、ベース枠２のビス孔２ｊに螺着することにより取り付けられる。
【００３０】
バリア駆動枠５は、上記固定枠に対して回転規制され、かつ、光軸Ｏ方向にも進退可能に支持される枠部材である。バリア駆動枠５には、前方に突出する傾斜カム５ｇが設けられている。
【００３１】
このバリア駆動枠５は、ベース枠２の内周側に挿入され、該ベース枠２に対して相対回転することなく、進退移動する。そして、レンズ鏡筒１が撮影状態にあるときは、傾斜カム５ｇは、バリアリング３の傾斜カム３ｇに対して離間した状態にある。しかし、レンズ鏡筒１が撮影状態から沈胴状態に繰り込まれたときは、傾斜カム５ｇは傾斜カム３ｇと当接してバリアリング３をバリアを閉じる位置まで反時計回りに回動させる。
【００３２】
なお本実施の形態において、バリアリング３を回転駆動するために、ベース枠２に対して光軸方向に進退するバリア駆動枠５を用いたが、これに限らず、沈胴状態と撮影状態とでベース枠２に対し、相対的に回転する枠部材を用いても良い。
【００３３】
上述した構成を有するレンズ鏡筒１のバリア駆動装置におけるバリア羽根４Ａ，４Ｂの開閉動作について、図４〜８を用いて説明する。
【００３４】
図４〜７は、上記レンズ鏡筒の各状態における上記バリア羽根の開閉状態をベース枠前面側から見た図であり、図４は、上記レンズ鏡筒の撮影可能状態にて上記バリア羽根が上記撮影光路開口を開放した開位置にある状態を示す。図５は、上記レンズ鏡筒が非撮影状態である沈胴状態への繰り込みを開始し、上記バリア羽根が準閉位置直前まで移動した状態を示す。図６は、図５の状態の後、さらに、ベース枠の繰り込みにより上記バリア羽根が上記撮影光路開口を閉じる状態の準閉位置まで移動し、上記撮影光路開口に対して最終的な完全閉位置に到達する直前の状態を示す。図７は、上記レンズ鏡筒が非撮影状態である沈胴状態になって、上記バリア羽根の閉動作が終了し、上記閉位置に移動した状態を示す。図８は、上記バリア羽根の閉じ方向への移動中、該バリア羽根の移動が外力等で遮られたときの状態、及び、上記バリア羽根が上記閉位置にある際に外力等で上記バリア羽根を開方向に移動させられた状態を示す図である。なお、上記準閉位置は、バリア羽根の閉動作が完了する前であって、バリア羽根４Ａ、４Ｂの羽根内縁４ａが互いに当接した状態とし、上記閉位置は、バリア羽根の閉動作が完了した状態とする。
【００３５】
また、バリア羽根の自転動作は、バリアリングに対して回動する動作とし、バリア羽根の公転動作は、バリアリングの回動に伴ってバリアリングと共にバリア羽根が回動する動作とする。
【００３６】
レンズ鏡筒１が撮影可能状態にあるとき、ベース枠２は、バリア駆動枠５に対して光軸Ｏ方向に所定距離離間しており、バリア駆動枠５の傾斜カム５ｇとバリアリング３の傾斜カム３ｇも離間している。従って、バリアリング３は、ベース枠２に対して引っ張りバネ６の付勢力により時計回りに回動している。このとき、バリア羽根４Ａ，４Ｂは、撮影光路開口２ａから退避した開位置にあり、この状態でのバリアリング３のバリア開状態回動角度を支持軸３ｃの回動位置で示すとして回動角度θ0 ＝０°とする（図４）。
【００３７】
バリアリング３が上記回動角度θ0 にあるときは、図４に示すようにバリア羽根４Ａ，４Ｂの突起４ｅがベース枠２の押圧部２ｅに当接している。これにより、バリア羽根４Ａ，４Ｂは閉位置にあるときと比較して、バリアリング３に対し相対的に支持軸３を中心に反時計回り回動している。そして、羽根外縁部がベース枠２の内周面２ｉに当接している。バリア羽根４Ａ，４Ｂの羽根内縁４ａは、光路開口２ａの上辺から所定の余裕距離離間しており、光路開口２ａは、完全に開放されている。そして羽根内縁４ａは光路開口２ａ光路開口２ａの開口端部２ｋと略平行となるように位置している。また、羽根付勢バネ７はバリア羽根４Ａ，４Ｂを閉方向に付勢しており、引っ張りバネ６はバリアリング３を開方向に付勢している。引っ張りバネ６の付勢力により、バリアリング３は回動角度θ0に保持されている。
【００３８】
なお、上記バリア羽根の開状態では羽根外縁部をベース枠２の内周面２ｉに当接させているが、その当接状態に代えてピン４ｄをバリアリング３の長穴３ｄの外側端に当接させてもよい。
【００３９】
次に、レンズ鏡筒１が撮影可能状態から非撮影状態である沈胴状態への繰り込みが開始され、沈胴状態の近傍に達したとき、ベース枠２とバリア駆動枠５が光軸Ｏ方向に接近し、バリア駆動枠５の傾斜カム５ｇとバリアリング３の傾斜カム３ｇとが当接し、バリアリング３の反時計回りの回動が開始される。
【００４０】
そして、図５に示すようにバリアリング３が反時計回りに角度θ1 だけ回動すると、バリア羽根４Ａ自体もバリアリング３と共に光軸Ｏまわりに角度θ1 だけ公転する。該公転の期間中、バリア羽根４Ａの突起４ｅが当接しているベース枠２の押圧部２ｅと、支持軸３ｃとが離れていくので、バリア羽根４Ａが羽根付勢バネ７の付勢力によって支持軸３ｃを回転中心として、羽根閉じ方向である時計回りの自転も行う。バリア羽根４Ａの上記公転および自転によってバリア羽根４Ａの羽根内縁４ａは、光路開口２ａ内に進入する。なお、他方のバリア羽根４Ｂも上述したバリア羽根４Ａに対して光軸Ｏ中心にした対称の回動動作を行う。
【００４１】
続いて、レンズ鏡筒１の沈胴状態への繰り込みが続行され、図６に示すようにバリアリング３が反時計回りに角度θ2 まで回動すると、バリア羽根４Ａ自体もバリアリング３と共に光軸Ｏまわりに角度θ2 だけ公転する。この公転期間中、バリア羽根４Ａの突起４ｅがベース枠２の押圧部２ｅから離れるまではバリア羽根４Ａが羽根付勢バネ７の付勢力によって支持軸３ｃを中心として時計回りに自転する。突起４ｅが押圧部２ｅから離れると、バリア羽根４Ａの羽根内縁４ａと、該バリア羽根４Ａと同様の回動状態にあるバリア羽根４Ｂの羽根内縁４ａとが当接した準閉状態となり、光路開口２ａは、一応、バリア羽根４Ａ、４Ｂにより覆われた閉じ状態となる。以後は、バリア羽根４Ａ、４Ｂともに自転は行わず、光軸Ｏまわりの公転のみとなる。
【００４２】
但し、図６に示す準閉状態では、バリア羽根４Ａ，４Ｂの外縁周囲の姿勢が光路開口２ａの周囲に対して傾いており、光路開口２ａの角の部分がバリア羽根４Ａ，４Ｂの外縁が接近しており、光路開口２ａの全周をより均一な余裕幅で覆った閉状態とはいえない。
【００４３】
その後、レンズ鏡筒１が完全に沈胴状態まで繰り込まれると、図７に示すようにバリアリング３は、反時計回りに角度θ3 まで回動する。バリア羽根４Ａ，４Ｂも光軸Ｏまわりに角度θ3 まで公転する。この公転期間中、自転は行わず、バリア羽根４Ａ，４Ｂは、羽根内縁４ａが当接した状態のまま光軸Ｏまわりを回転する。この公転動作によってバリア羽根４Ａ，４Ｂは、光路開口２ａの全周をより均一な余裕幅で覆った完全な閉位置に到達する。
【００４４】
なお、図６、または、７の閉じ状態にあって、バリア羽根４Ａ、４Ｂの羽根内縁４ａ同士が当接した状態にあるとき、バリア羽根の４Ａ、４Ｂのピン４ｄは、バリアリング３の２つの長穴３ｄの端部に対して僅かな隙間がある状態とする。但し、一対の羽根付勢バネ７による付勢力のバランスによっては、片方の長穴に上記隙間が偏る場合もある。このように上記閉じ状態でピン４ｄと長穴３ｄとに僅かな隙間を設けることによりバリア羽根の４Ａ、４Ｂの羽根内縁４ａ同士を確実に当接させ、隙間が生じさせないようにしている。
【００４５】
このように、バリア羽根４Ａ、４Ｂの突起４ｅがベース枠２の押圧部２ｅと当接している状態では、バリアリング３の回動に伴い、バリア羽根４Ａ、４Ｂは自転動作と公転動作を行い、突起４ｅと押圧部２ｅとが離間した状態ではば、バリアリング３の回動に伴い、バリア羽根４Ａ、４Ｂは公転動作のみ行なう。
【００４６】
ところで、バリア羽根４Ａ，４Ｂの閉じ動作中、上記バリア羽根を手で触ったり、あるいは、ゴミの進入によって上記バリア羽根の移動が遮られた場合、図８に示すように移動が遮られた一方のバリア羽根、例えば、４Ａ側は、羽根付勢バネ７が撓むことにより遮られた位置に止まり、バリアリング３のみそのまま反時計回りの回動を続行する。従って、バリアリング３およびバリアリング３を回動駆動するバリア駆動枠５に異常な力が作用せず、破損等の発生が防止される。上記遮った力が除かれると該バリア羽根は、閉位置に移動する。また、バリア羽根４Ａ、４Ｂが閉位置にある状態で、ユーザが指などでバリア羽根、例えば４Ａを開放しようと動かした場合も、同様に、バリア羽根４Ａが支持軸３ｃを中心に自転して、バリア羽根４Ａの外縁部がベース枠２の内周面２ｉに当接する。この場合も、バリアリング３およびバリア駆動枠５には無理な力が作用せず、破損等の発生が防止される。
【００４７】
一方、レンズ鏡筒１が上記沈胴状態から撮影可能な状態に繰り出される際には、ベース枠２がバリア駆動枠５に対して相対的に光軸Ｏ方向に離間していくのでバリアリング３が時計回りに回動し、上述した動作と逆の動作が実行され、バリア羽根４Ａ，４Ｂが光路開口２ａから完全に退避した開位置に移動する。
【００４８】
以上、説明したように本実施形態のレンズ鏡筒１によれば、バリア羽根４Ａ，４Ｂの開閉をバリアリング３の回動により行う。上記バリア羽根が羽根付勢バネ７により閉方向へ回動付勢された状態のもとで光軸Ｏまわりの公転動作（羽根支持軸位置が回動）と、バリア羽根支持軸３ｃ中心の自転動作とにより開閉が行われる。即ち、バリア羽根４Ａ、４Ｂの開閉動作は回転移動のみによって行なわれる。従って、バリア羽根を直線的に移動させる場合に比して安定した移動を行なうことができる。
【００４９】
また、バリア羽根４Ａ，４Ｂが公転と自転を組み合わせた回動動作を行わせることによって、バリア羽根４Ａ、４Ｂが開位置にあるとき、バリア羽根４Ａ、４Ｂの羽根内縁４ａが撮影光路開口２ａの開口端部２ｋと略平行となるように位置することが出来る。このようにすることで、バリア退避状態では上記バリア羽根を光路開口２ａの外方のより狭いスペースに具合よく収納でき、レンズ鏡筒の小型化可能になる。
【００５０】
前述したように従来のバリア駆動装置では、バリア羽根が単一軸まわりの回動により開閉が行われていたので、設計の自由度が低く、バリア羽根の退避状態（開位置）における占有スペ−スが広くなってしまうか、あるいは、バリア羽根の枚数を増やす必要があったが、それらの問題を本発明のレンズ鏡筒では解決することができる。
【００５１】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５２】
本発明によるレンズ鏡筒、および、撮像装置は、簡単な構成で円滑な開閉動作が可能なバリア駆動装置を備え、小型、かつ、薄型化が可能なレンズ鏡筒、および、該レンズ鏡筒を備えた撮像装置として利用が可能である。
【図面の簡単な説明】
【００５３】
【図１】図１は、本発明の一実施形態のバリア駆動装置を備えたレンズ鏡筒の要部の分解斜視図である。
【図２】図１のＡ方向から見た上記レンズ鏡筒の要部の分解斜視図である。
【図３】図１のレンズ鏡筒の要部の撮影光軸に沿った断面図である。
【図４】図１のレンズ鏡筒の撮影可能状態にてバリア羽根が上記撮影光路開口を開放した開位置にある状態をベース枠前面側から見た図である。
【図５】図１のレンズ鏡筒が非撮影状態である沈胴状態への繰り込み動作中、上記バリア羽根が準閉位置直前まで移動した状態を上記ベース枠前面側から見た図である。
【図６】図５の状態の後、上記バリア羽根が上記撮影光路開口を閉じる状態の準閉位置まで移動した状態を上記ベース枠前面側から見た図である。
【図７】上記レンズ鏡筒が非撮影状態である沈胴状態となり、上記バリア羽根が上記完全閉位置に移動した状態を示す。
【図８】上記バリア羽根が閉じ方向へ回動移動中、該バリア羽根の移動が外力で遮られたときの状態を示す図である。
【符号の説明】
【００５４】
２  …ベース枠（ベース部材）
２ｅ…押圧部
３  …バリアリング（バリア駆動部材）
４Ａ，４Ｂ…バリア羽根
７  …羽根付勢バネ（付勢部材，閉じ付勢部材）
【図１】
2008185728.tif 000003
【図２】
2008185728.tif 000004
【図３】
2008185728.tif 000005
【図４】
2008185728.tif 000006
【図５】
2008185728.tif 000007
【図６】
2008185728.tif 000008
【図７】
2008185728.tif 000009
【図８】
2008185728.tif 000010